(57)【要約】【課題】従来の消火器設置金具においては、締結バンドで固定されている物は、緩み防止のため、容易に外れにくく、その為に外した時の反動で消火器そのものが落下してしまう事があった。【解決手段】本発明は消火器の落下防止のため、締結バンドの内部に支持金具を備えることによってこの課題を解決した。【選択図】図５
2013000575.tif 000002
【特許請求の範囲】
【請求項１】
消火器の底部を支持するための支持金具がその下端部に形成されたＬ型金具と、
前記Ｌ型金具の中央部付近に連結された前記消火器締結用の左右一対の締結バンドと、
前記一対の締結バンドにおける前記Ｌ型金具との連結部とは逆側の端部を互いに連結し、あるいは、開放するための留め金具とを備え、
前記留め金具により一対の締結バンドの端部を連結することで前記支持金具により底部を支持された消火器を起立状態で固定するとともに、一対の締結バンドの端部を開放することにより一対の締結バンドの端部間に開放領域を形成して前記消火器を取り外し可能とした消火器用ブラケットにおいて、
前記消火器の外周のほぼ全域を取り囲む形状を有するとともに、前記一対の締結バンド間に形成される開放領域と対応する位置に開放領域が形成された可撓性の支持部材を備えたことを特徴とする消火器用ブラケット。
【請求項２】
請求項１に記載の消火器用ブラケットにおいて、
前記支持部材は前記Ｌ型金具に対して、前記一対の締結バンドと同じ高さ位置に配設されており、当該支持部材は、前記一対の締結バンドの幅よりも狭い幅を有する帯状の部材から構成される消火器用ブラケット。
【請求項３】
請求項２に記載の消火器用ブラケットにおいて、
前記支持部材における前記解放領域付近の前記消火器との当接位置には、ゴムパッキンが配設される消火器用ブラケット。
【発明の詳細な説明】
【技術分野】
【０００１】  本発明は、消火器を所定の場所に固定する為の消火器用ブラケットに関する。
【背景技術】
【０００２】  従来の消火器用ブラケットの構造は消火器の底をＬの字曲げをした金具で支え前記消火器本体の中心よりやや上でブラケットのバンドにて前記消火器を固定するものである。また、別の構造では、消火器の底を支える方法として消火器の外周に沿ったリング状の金具をブラケットの下部に設けてそれを前記消火器の底受けとし、バンドは同様に前記消火器を固定するものである。
【発明の概要】
【発明が解決しようとする課題】
【０００３】  従来の消火器用ブラケットは消火器をブラケットから外すときに通常は片手で消火器の本体を押えてもう片方の手でブラケットのバンドの留め金を開放し消火器を抜き去っていた。
このときに消火器本体を手で押えずに前記ブラケットのバンドの留め金を開放すると、前記消火器が前記ブラケットから完全に外れて下に落ちてしまう可能性がある。従って、消火器本体の何処かを支えながら前記留め金を開放するしか方法が無い。
【課題を解決するための手段】
【０００４】    請求項１に記載の発明は、消火器の底部を支持するための支持金具がその下端部に形成されたＬ型金具と、前記Ｌ型金具の中央部付近に連結された前記消火器締結用の左右一対の締結バンドと、前記一対の締結バンドにおける前記Ｌ型金具との連結部とは逆側の端部を互いに連結し、あるいは、開放するための留め金具とを備え、前記留め金具により一対の締結バンドの端部を連結することで前記支持金具により底部を支持された消火器を起立状態で固定するとともに、一対の締結バンドの端部を開放することにより一対の締結バンドの端部間に開放領域を形成して前記消火器を取り外し可能とした消火器用ブラケットにおいて、前記消火器の外周のほぼ全域を取り囲む形状を有するとともに、前記一対の締結バンド間に形成される開放領域と対応する位置に開放領域が形成された可撓性の支持部材を備えたことを特徴とする。【０００５】    請求項２に記載の発明は、請求項１に記載の発明において、前記支持部材は前記Ｌ型金具に対して、前記一対の締結バンドと同じ高さ位置に配設されており、当該支持部材は、前記一対の締結バンドの幅よりも狭い幅を有する帯状の部材から構成される。【０００６】    請求項３に記載の発明は、請求項２に記載の発明において、前記支持部材における前記解放領域付近の前記消火器との当接位置には、ゴムパッキンが配設される。
【発明の効果】
【０００７】  請求項１に記載の発明によれば、支持部材の作用により、留め金具を外した場合に、消火器が消火器用ブラケットから落下することを防止することが可能となる。このため、消火器を容易に消火器用ブラケットから取り外すことが可能となる。【０００８】    請求項２に記載の発明によれば、支持部材を一対の締結バンドの内側に配置することができる。このため、外観上の違和感もなく、操作者が消火器の取り外しを躊躇することもない。【０００９】    請求項３に記載の発明によれば、消火器が滑って支持部材から落下することを防止することが可能となる。
【図面の簡単な説明】
【００１０】
【図１】  従来の消火器用ブラケット全体図
【図２】  図１のＡ−Ａ断面矢視図
【図３】  従来の消火器用ブラケットの断面図
【図４】  図３でブラケットの留め金具を開放した時の断面図
【図５】  本発明の実施形態を示すブラケットの断面図
【図６】  図５でブラケットの留め金具を開放した時の断面図
【発明を実施するための形態】
【００１１】  以下、本発明の実施形態を図１〜図６に基づいて説明する。
【００１２】  図１はこの発明に係る支持部材７を省略した、従来の消火器用ブラケットの全体図である。消火器用ブラケット１は通常、消火器６の底部を支える支持金具５がその下端部に形成されたＬ型金具２と、前記Ｌ型金具２の中央部付近に連結された前記消火器６締結用の左右一対の締結バンド３と、前記一対の締結バンド３における前記Ｌ金具２との連結部とは逆側の端部を互いに連結し、あるいは、開放する為の留め金具４から構成される。
【００１３】  図２は図１のＡ−Ａ断面矢視図である。支持金具５を見せるため消火器６は表示していない。
消火器６を取り付けた断面図は図３のようになる。斜線が消火器６の断面を表している。図３の状態から留め金具４を開放すると、開放領域１０が形成される。図４では留め金具４が開放された状態のブラケット１の開放領域１０を示しており、消火器６は表示していない。消火器６を装着するときは、前記開放領域１０より消火器６を差し込んで支持金具５に消火器６の底部をのせてから締結バンド３に消火器の胴体を合わせて留め金具４で閉め込む。消火器を使用するときは留め金具を開放する。図４から分るように消火器は開放領域１０から出て外に落ちようとする。
【００１４】  図５は消火器６の外周のほぼ全域を取り囲む形状を有するとともに、前記一対の締結バンド３間に形成される開放領域１０と対応する位置に開放領域１１が形成された可撓性の支持部材７を使用して構成された本発明の実施形態を示すブラケット９で前記消火器６を固定した時の断面図である。支持部材７には消火器６を保持し易くするためのゴムパッキン８を貼りつけてある。滑らないものであればゴムパッキン８以外でも代用できる。
【００１５】  本発明の支持部材７を使用したブラケット９を使って消火器６を装着するときは従来のブラケット１と同じように留め金具４が開放された状態のブラケット９に消火器６を開放領域１０より差し込んでいく。このとき開放領域１０と対応する位置に開放領域１１があるのでそこから前記支持部材７の内側に前記消火器６を差し込んで支持金具５に前記消火器６の底部をのせてから前記支持部材７と締結バンド３を同時に前記消火器６の胴体に合わせて留め金４で閉め込む。
【００１６】  消火器６を使用するときは、まず留め金４を開放する。図６が本発明の実施形態を示すブラケット９を使用し、留め金４を開放した状態の断面図である。留め金４を開放すると締結バンド３が開放されてしまうが、支持部材７の可撓性によりが消火器６を左右から支えることになり、結果として消火器６が傾いた状態で静止するようになる。次の動作で前記消火器６を前記ブラケット９から抜き取ることは前記消火器６が前記ブラケット９に固定されていないので前記消火器６を引き抜くだけで容易に行われる。
【００１７】  上述したように、本発明によれば、消火器６を使用しようとして締結バンド３の留め金４を開放したときに前記消火器６が落下して、怪我をするもしくは消火活動に時間が掛り火事の被害が大きくなるなどの事を防止する効果が考えられる。特に現状の消火器６の中には締結バンド３がきつく締めつけられていて片手で留め金４を開放するとその反動で消火器６が落下してしまう危険があった。本発明はその対策部品である支持部材７も従来の締結バンド３の内側に仕舞い込んであるので見た目にも違和感が無く危険もない。
【符号の説明】
【００１８】１  従来の消火器用ブラケット
２  Ｌ型金具
３  締結バンド
４  留め金具
５  支持金具
６  消火器
７  支持部材
８  ゴムパッキン
９  本発明の実施形態を示す消火器用ブラケット
１０  締結バンドの端部を開放した時に形成される開放領域
１１  支持部材の端部を開放した時に形成される開放領域
【図１】
2013000575.tif 000003
【図２】
2013000575.tif 000004
【図３】
2013000575.tif 000005
【図４】
2013000575.tif 000006
【図５】
2013000575.tif 000007
【図６】
2013000575.tif 000008